(57)【要約】【課題】スロットマシン等の遊技機は、厳重な施錠構造にすれば、交換部分の交換性、作業性等の能率は悪くなり、構造の簡単化も困難であった。【解決手段】鍵開錠動作又は前面ドアを開放と連動してスロットユニットが僅かに飛出すように構成すると共に、筐体内に収められたユニットは、ばね力により取出し方向に常に付勢されており、係止手段が飛出しを阻止する。この係止手段を鍵開錠又は前面ドア開放と連動させ、ユニット取出し時に飛び出すように構成する。【選択図】　図１
2004097369.tif 000002
【特許請求の範囲】
【請求項１】
上ユニットを筐体から分離した分離型スロットマシンにおいて、上ユニットは、上扉パネルと、ドラムユニットと、制御基板とを備えてなり、該上ユニットを筐体の前側からの挿入で弾発係止することを特徴とする分離型スロットマシン。
【請求項２】
請求項１において、前記上ユニットの弾発係止は、前記スロットマシンの前面に設けた鍵穴からの鍵操作により解除することを特徴とする分離型スロットマシン。
【請求項３】
請求項２において、前記弾発係止は、前記スロットマシンの上ユニット前面又は下扉前面或いは筐体前面側部に設けた鍵穴からの鍵操作により解除することを特徴とする分離型スロットマシン。
【請求項４】
請求項２において、前記鍵操作によって、前記上ユニットの弾発係止を解除すると共に、該上ユニットを前方に取り出すことを可能としたことを特徴とする分離型スロットマシン。
【請求項５】
請求項１において、前記上ユニットを筐体に挿入して装着する際、上ユニットは、該上ユニットのスライド挿入により自動的に前記筐体に弾発係止されることを特徴とする分離型スロットマシン。
【請求項６】
請求項２において、前記上ユニットは、前記鍵操作による前記弾発係止の解除に連動して、該上ユニットが前方に突出することを特徴とする分離型スロットマシン。
【請求項７】
請求項６において、該上ユニットの前方への突出は、筐体内に設けられた弾発手段の弾発力により取出し方向に常に付勢されていることを特徴とする分離型スロットマシン。
【請求項８】
請求項２において、前記上ユニットの弾発係止の解除のための鍵操作方向と反対方向の鍵操作によって、前記スロットマシンの下扉のロックを解除することを特徴とする分離型スロットマシン。
【請求項９】
請求項１において、前記上ユニットを弾発係止する手段は、該上ユニットを所定位置に係止するための手段と、該上ユニットを前方に突出させるための手段とから成ることを特徴とする分離型スロットマシン。
【請求項１０】
請求項５又は９において、前記上ユニットを所定位置に係止するための手段は、該上ユニットのスライド挿入を許容し、該上ユニットを所定位置に付勢された係止片により係止するようにした手段から成ることを特徴とする分離型スロットマシン。
【請求項１１】
請求項５又は９において、前記上ユニットを前方に突出させるための手段は、該上ユニットの所定位置へのスライド挿入により弾発エネルギーを蓄えるようにした手段から成ることを特徴とする分離型スロットマシン。
【請求項１２】
上ユニットを筐体から分離した分離型スロットマシンにおいて、上ユニットは、上扉パネルと、ドラムユニットと、制御基板とを備えてなり、前記上扉パネルの下縁部に後方に向けてリブを設け、下扉の上縁部には、後方に向けてリブを設け、一方、筐体には、前記両者のリブを前方より収容する断面コ字状のリブ収容部を設けることを特徴とする分離型スロットマシン。
【請求項１３】
請求項１２において、前記リブ収容部は、筐体の略全幅にわたって設けられていることを特徴とする分離型スロットマシン。
【請求項１４】
請求項１３において、前記リブ収容部の端部は、断面コ字状のまま後方に折り曲げられていることを特徴とする分離型スロットマシン。
【発明の詳細な説明】
【０００１】
【発明の属する利用分野】
この発明は、遊技機におけるスロットマシンに関し、特に前面パネルを上下に分離できるようにユニット化した分離型のスロットマシンに関するものである。
【０００２】
【従来の技術】
従来より遊技機のドラム装置、ドラム周辺表示板（上部前面化粧体）、遊技制御基板等をユニット化し、スロットユニットとして筐体に対して交換可能に構成することにより、スロットマシンの機種替えを容易にし、筐体側を再使用できるようにしたものには、特開平１０−５２５２５号公報、特許第３１２６８１２号公報に記載されたものがある。
【０００３】
特開平１０−５２５２５号公報（第４頁、図１）に記載されたスロットマシンは、前面ドアを上下に分割し、上部ドアを含むスロットユニットを筐体の一側に軸支するように構成されており、また、特許第３１２６８１２号公報（第２頁、図１）に記載されたスロットマシンは、スロットユニットを前面ドアの開口に装着するように構成されたものとなっている。
【０００４】
【発明が解決しようとする課題】
しかしながら、前記両公報に記載されたスロットマシンの発明には、いずれもスロットマシンゲームの内容を決定し、実現する中核であるスロットユニットの施錠構造に関する事項については、何も言及されていない。一般に、スロットマシン等の遊技機に関しては、厳重な施錠構造にすれば、交換部分の交換性、作業性等の能率は悪くなり、構造の簡単化も困難になる。
【０００５】
特に、前面パネルを上下２ドア式にした場合、上下ドアの継ぎ目の部分からシート状のものを挿入したり、差し込んだりして不正にドアが開けられないようにするため、両ドアの継ぎ目の部分にいわゆる「返し」を設ける設計構造が採用されている。しかしながら、このような構造とすると、下部ドアを開かないと上部ドアが開かない、というように、各ドアの開閉の順番が決まってしまう。
【０００６】
下部ドアは、ホール営業中にメダル等の補給をするため、「先開け、後閉め」構造にしなければならないので、下部ドアを閉めたまま、上部ドアを含むスロットユニットを取り出すことは不可能であった。したがって、スロットユニット交換時には、必ず下部ドアを開放していなければならず、スロットユニットが重いので、交換時に邪魔となったり、交換に手間取ったりして手数が掛かり取出しが大変で、作業性が悪いという問題があった。
【０００７】
上記従来の問題に鑑み、本発明の目的は、構造が簡単で不正防止ができ、スロットユニット交換時における交換作業性を改善するユニットの施錠構造を提供することを課題とする。
【０００８】
【課題を解決するための手段】
本発明は上記の問題点を解決する為になされたものであり、その解決の為に講じた本発明の手段は、次のとおりである。
【定義】
本発明で「弾発係止」とは、弾性的エネルギーを保留した状態に上ユニットを所定位置に係止（ロック）することをいう。
【０００９】
請求項１では、上ユニットを筐体から分離した分離型スロットマシンにおいて、上ユニットは、上扉パネルと、ドラムユニットと、制御基板とを備えてなり、該上ユニットを筐体の前側からの挿入で弾発係止する分離型スロットマシンを提案する。
【００１０】
該分離型スロットマシンによれば、上ユニットの筐体内への装着及び交換が容易である。
【００１１】
請求項２では、請求項１において、前記上ユニットの弾発係止は、前記スロットマシンの前面に設けた鍵穴からの鍵操作により解除する分離型スロットマシンを提案する。
【００１２】
該分離型スロットマシンによれば、上ユニットの筐体内への装着及び取出しが容易である。これによりスロットユニットの交換作業性を向上させることができるものである。
【００１３】
請求項３では、請求項２において、前記弾発係止は、前記スロットマシンの上ユニット前面又は下扉前面或いは筐体前面側部に設けた鍵穴からの鍵操作により解除する
分離型スロットマシンを提案する。
【００１４】
該分離型スロットマシンによれば、上ユニットの筐体内への装着及び取出しがスロットマシンの上扉又は下扉開閉の鍵操作のみで簡単かつ容易に行え、鍵穴を上ユニット前面に設けると、上ユニットの係止解除用鍵穴であることが分かり易く、また下扉前面に設けると、下扉の係止解除用鍵穴と兼用する場合に構造上実現し易い利点があり、筐体前面側部に鍵穴を設けると、鍵操作により鍵穴自体が前方に突出することがなく、鍵操作がし易い長所を生ずるものである。
【００１５】
請求項４では、請求項２において、前記鍵操作によって、前記上ユニットの弾発係止を解除すると共に、該上ユニットを前方に取り出すことを可能とした
分離型スロットマシンを提案する。
【００１６】
該分離型スロットマシンによれば、スロットの上ユニットの交換が容易である。
【００１７】
請求項５では、請求項１において、前記上ユニットを筐体に装着する際、上ユニットは、該上ユニットのスライド挿入により自動的に前記筐体に弾発係止される分離型スロットマシンを提案する。
【００１８】
該分離型スロットマシンによれば、スロットの上ユニットの装着が容易である。
【００１９】
請求項６では、請求項２において、前記上ユニットは、前記鍵操作による前記弾発係止の解除に連動して、該上ユニットが前方に突出する分離型スロットマシンを提案する。
【００２０】
該分離型スロットマシンによれば、スロットの上ユニットの取出しが容易である。
【００２１】
請求項７では、請求項６において、該上ユニットの前方への突出は、筐体内に設けられた弾発手段の弾発力により取出し方向に常に付勢されている分離型スロットマシンを提案する。
【００２２】
該分離型スロットマシンによれば、鍵開錠動作又は前面ドア開放と連動してスロットの上ユニットが弾発力により僅かに飛び出すように構成され、取出しが容易に行える。
【００２３】
請求項８では、請求項２において、前記上ユニットの弾発係止の解除のための鍵操作方向と反対方向の鍵操作によって、前記スロットマシンの下扉のロックを解除する分離型スロットマシンを提案する。
【００２４】
該分離型スロットマシンによれば、営業時にメダル補給のために下扉を開くキーと、上ユニット交換用キーを兼用できる。
【００２５】
請求項９では、請求項１において、前記上ユニットを弾発係止する手段は、該上ユニットを所定位置に係止するための手段と、該上ユニットを前方に突出させるための手段とから成る分離型スロットマシンを提案する。
【００２６】
該分離型スロットマシンによれば、鍵の開錠動作又は前面ドア開放と連動して上ユニットが僅かに飛び出すように構成することができ、取出しが容易である。
【００２７】
請求項１０では、請求項５又は９において、前記上ユニットを所定位置に係止するための手段は、該上ユニットのスライド挿入を許容し、該上ユニットを所定位置に付勢された係止片により係止するようにした手段から成る分離型スロットマシンを提案する。
【００２８】
分離型スロットマシンによれば、上ユニットの装着時には、そのスライド挿入の押込み動作により所定位置で自動係止できるようにしたので、係止するための特別の操作は必要とせず、装着が簡単で容易である。
【００２９】
請求項１１では、請求項９において、前記上ユニットを前方に突出させるための手段は、該上ユニットの所定位置へのスライド挿入により弾発エネルギーを蓄えるようにした手段から成る分離型スロットマシンを提案する。
【００３０】
該分離型スロットマシンによれば、前面ドア開放の鍵操作と連動してスロットの上ユニットをポップアップさせるので、上ユニットの取出しが容易となる。
【００３１】
請求項１２では、上ユニットを筐体から分離した分離型スロットマシンにおいて、上ユニットは、上扉パネルと、ドラムユニットと、制御基板とを備えてなり、前記上扉パネルの下縁部に後方に向けてリブを設け、下扉の上縁部には、後方に向けてリブを設け、一方、筐体には、前記両者のリブを前方より収容する断面コ字状のリブ収容部を設ける分離型スロットマシンを提案する。
【００３２】
該分離型スロットマシンによれば、上扉パネル、下扉を独立に開ける構造としても、断面コ字状のいわゆる「シート返し」構造により、上扉パネルと下扉の隙間からシート状のものを挿入して鍵を開く等の不正を防止できる。
【００３３】
請求項１３では、請求項１２において、前記リブ収容部は、筐体の略全幅にわたって設けられている分離型スロットマシンを提案する。
【００３４】
該分離型スロットマシンによれば、シート状のものを不正侵入することが可能な隙間全体をカバーできる。
【００３５】
請求項１４では、請求項１３において、前記リブ収容部の端部は、断面コ字状のまま後方に折り曲げられている分離型スロットマシンを提案する。
【００３６】
該分離型スロットマシンによれば、いわゆる「シート返し」の不正侵入防止壁を開口部前面にわたり切れ目なく形成できると共に、この不正侵入防止壁をできるだけ隙間の間口に近い位置に設けることができ、その分、枠内に設ける機器の容積を大きくできる。
【００３７】
【本発明の実施の形態】
図１は、分離型スロットマシン１００の全体概略図を示す。スロットマシン１００は、後部にマシン本体である筐体１と、その前部には、上部に遊技表示板及び遊技表示器等の上部前面化粧体２１を有する上部前扉（上扉パネル）１０２と、その後方に設置されたドラムユニット２２と、その内部又は外面に図外の遊技制御基板２３とを備えた上ユニット２と、下部に遊技操作レバー、ボタン、メダル投入口及びメダル受け等を備える下部前扉（下扉）１０３を有する下ユニット３とから構成されている。
【００３８】
前記ドラムユニット２２と上部前扉１０２とは、図の左端においてヒンジ結合により一体的に固着されている。本実施形態の分離型スロットマシン１００においては、上ユニット２に一体的構造の上部前扉１０２と、下部前扉１０３とは、完全分離型に構成されるものである。
【００３９】
図１において、筐体１の上部には、上部前面化粧体２１と、ドラムユニット２２と、遊技制御基板２３とから成る上ユニット２が着脱自在に取り付けられており、下部には、扉の開閉を鍵の開閉により行うように形成したロック操作部３１を備える下部前扉１０３が開閉可能に形成されている。本実施形態では、このロック操作部３１は、下部前扉１０３に設けているが、上部前扉１０２又は筐体１側部に設けるようにしてもよいことは勿論である。
【００４０】
前記上ユニット２は、該上ユニット２の下部に設けられたコロ２５により、筐体１のドラムユニット載置台１４（図３参照）に設けられたガイドレール１２に沿ってスロットマシン１００の前側からスライド挿入して押し込むことで、ロック操作部３１に連動されるロックアーム３３に係合してロックされる。ガイドレール１２は後方に下降傾斜で配設されているので、上ユニット２の押し込みは容易である。
【００４１】
図２に示すように、筐体１の前部中央には、ドラムユニット載置台１４を備えた中央フレーム１１が適宜手段により筐体１に固着されている。該中央フレーム１１には、上部前扉１０２の補強用のリブ２６と下部前扉１０３の補強用のリブ３６とを収容する前方リブ収容部１５とヒンジ側の側方リブ収容部１６及び自由端側の側方リブ収容部１６’とが形成されている。
【００４２】
図３は、分離型スロットマシン１００の側面概略図であり、筐体１のドラムユニット載置台１４に載置する上ユニット２を取出した状態を示している。上ユニット２には、その前面に設けられた上部前扉１０２と、その後方に設けられたドラムユニット２２とが配設されており、該ドラムユニット２２は、下面を構成するドラムユニットベース板２４及び上面、左右側面、後面を構成するフレームの内部にドラム装置を備える。
【００４３】
上ユニット２は、ドラムユニットベース板２４に取り付けられたコロ２５により、筐体１の前記ガイドレール１２に沿って押し込まれてドラムユニット載置台１４に載置されるように設けられている。下部前扉１０３には、上ユニット２及び該下部前扉１０３をロックアーム３３及び図外の下部前扉ロック機構によりロックするシリンダ錠３４が設けられており、その開閉は鍵３０により操作される。
【００４４】
スロットマシン本体の筐体１側に接続す上ユニット２のコネクタは、上ユニット２の下方に垂らしておいて、該ユニット装着後に下部前扉１０３を開けて差し込むか、又は上ユニット２の後部にコネクタを固定的に設置する一方、筐体１側に固定的に設けた受側コネクタとを設け、或いは該上ユニット２をスライド挿入する際、円錐型ガイドピンとガイド穴等からなるコネクタ案内機構を双方に設けることなどにより、接続するように形成する。
【００４５】
ロック操作部３１は、上部前扉１０２、上ユニット２及び下部前扉１０３を施錠又は開錠するための開閉機構であって、鍵３０により鍵穴３２を介してシリンダ錠３４の鍵操作を行うもので、例えば、鍵３０を右回しすると、上部前扉１０２及び上ユニット２のロックを解除し、左回しすると、下部前扉１０３のロックを解除するように形成されている。
【００４６】
本発明の実施形態では、後述するように、右回しによるロック機構を２段式にして、右回し１段目の操作で上部前扉１０２のロックを解除し、右回し２段目の操作で上ユニット２のロックを解除するようにしている。そして、この２段目の操作で上ユニット２のロックが解除されると、該上ユニット２がバネ力により僅かに前方へ飛び出すように適宜構成されている。
【００４７】
このように、上ユニット２には、スロットマシンの機種毎に異なる機能部分をユニット化して集約するとともに、極めて簡単な操作で、装着及び分離ができるように形成されている。また、上ユニット２の上部前扉１０２を開閉可能に支持するヒンジ機構を省略すれば、上ユニット２のフレームはもっと簡単な強度のないものでよく、軽量化が可能となる。この場合、上部前扉１０２は、パチン錠などで該フレームに対して着脱式にしてもよいものである。
【００４８】
そのように形成すると、遊技場やホールにおける通常の営業時には操作することがない上部前扉１０２を固定式とし、下部前扉１０３のみに開閉機構を設けるだけでよく、従来の上下一体式の前面扉のように、ドラムや制御基板等の装置を含む本体全面を開閉しなくて済むものであり、不正行為の防止にも一層貢献できるものである。
【００４９】
次に、図４〜６について、本実施形態の細部を説明する。
図４は、ロック操作部３１の関連構造を示す構造図である。下部前扉１０３にはシリンダ錠３４が設けられ、鍵３０を下部前扉１０３の鍵穴３２に差込んでシリンダ錠３４を操作するようになっている。このシリンダ錠３４は、前記したように、左回りと、右回り１段目の鍵３０の開錠操作による構造は、公知の普通の構造であるので、ここでは説明を省略する。
【００５０】
右回り２段目のロック操作関連機構に関して以下説明する。
図４に示すように、シリンダ錠３４は、ドラムユニット載置台１４に固着されたロックアーム３３にロックアーム解除プレート３５を介して連動して操作されるように接続されている。ロックアーム３３及びロックアーム解除プレート３５は、共に図示しないバネにより常時上向きに付勢されており、該ロックアーム解除プレート３５は、長穴により筐体１の側壁に図示しない固定部材とスライド自在に固着されている。
【００５１】
筐体１の中央フレーム１１は、図示のように断面コ字形で前方向きに配設されて、該コ字部分でリブ収容部１５を構成するように形成されている。
上部前扉１０２の額縁状の枠部の下縁部に後方に向けて形成されたリブ２６と下部前扉１０３の上縁部に後方に向けて形成されたリブ３６は、中央フレーム１１のリブ収容部１５内に互いに干渉しない状態で篏入保持されている。この断面コ字形のリブ収容部１５の構造により、いわゆる「シート返し」を構成し、外部から不正にシリンダ錠の施錠を操作するのを防止するものである。断面コ字形のリブ収容部１５は、筐体１の略全幅にわたって設けられており、該リブ収容部１５の端部は断面コ字形を維持しつつ後方へ折り曲げられて側方リブ収容部１６、１６’を形成している。このため、「シート返し」部分は、スロットマシンの前面開口部に切れ目なく形成されるものである。
【００５２】
このように、上部前扉１０２と下部前扉１０３とを中央フレーム１１のリブ収容部１５内へ互いに干渉しない状態で収容するようにされた上下前扉の構造により、それぞれの扉は単独で独立に開閉可能に形成されている。このため、上ユニット２を取り出す場合は、鍵３０でシリンダ錠３４を右回り２段目へ開錠操作することにより、ロックアーム解除プレート３５の連動を介して上ユニット側のドラムユニットベース板２４のロックを開放し、上ユニット２の施錠を開錠して取り出すようになっている。この場合、一方の下部前扉１０３は、左回りの開錠操作が行われない限り、筐体１に施錠されたままとなっている。
【００５３】
なお、図示しないが、ロックアーム解除プレート３５に対する解除操作の変形例として、下部前扉１０３を、メダル補給のための通常のドア開放位置とは区別して、通常のドア開放位置よりも一定角度以上に開放した場合に、このドア開放と連動して該ロックアーム解除プレート３５を解除位置へ作動するリンク機構を下部前扉１０３の裏側に設け、上ユニット２がロック解除に連動して飛出すようにしてもよい。また、これとは別に、下部前扉１０３を開放して、その後ハンド操作により筐体１の内部に設置したリリースレバーを引くか、又は図４のロックアーム解除プレート３５を直接引くように形成して、ロックアーム解除プレート３５を解除位置へ作動させるように形成してもよい。
【００５４】
図４において、２７，２７’はドラムユニットベース板２４の位置決めボスである。
【００５５】
図６は、本実施形態におけるロック機構の要部分解説明図である。シリンダ錠３４の先端には、Ｌ字状のシリンダ錠アーム３４’が形成されている。該シリンダ錠アーム３４’は、鍵３０の右回し開錠操作により、該アーム３４’が回動してロックアーム解除プレート３５の一端部と係合するようになされている。上ユニット２のロック解除、つまりドラムユニットベース板２４のロックを解除するには、図５に示すように、鍵３０でシリンダ錠３４を右回りに操作すると、ロックアーム解除プレート３５がシリンダ錠アーム３４’の右回りの回動と連動させられることにより下方にスライド変位され、ロックアーム解除プレート３５の上端がロックアーム３３の係合ピンの位置まで下降される。
【００５６】
さらに鍵３０を右に２段目まで回すと、常時上向きに付勢された該ロックアーム３３が下方へ押し下げられ、これにより該ロックアーム３３の係止片が、固定ピンを軸に下向きに回動して押し下げられ、ドラムユニットベース板２４の係止部から離脱させられるので、該ドラムユニットベース板２４上に載置された上ユニット２のロックを解除する。
【００５７】
このとき、例えば、位置決めボス２７、２７’の周辺にコイルバネ等のイジェクトバネを配置するなどの適宜手段により、その弾発力等を利用して上ユニット２のロック解除と同時に、上ユニット２自体を僅かに飛び出すように構成するものである。このように、上ユニット２を僅かに飛び出すように構成したので、手作業によるその後の作業者引出し作業が容易となるものである。
【００５８】
なお、図示しないが、シリンダ錠アーム３４’とロックアーム解除プレート３５と係合は、鍵３０の２段階の押し込みにより、シリンダ錠３４から伸長するようにして、ロックアーム解除プレート３５と係合するように構成してもよい。この場合、シリンダ錠アーム３４’はシリンダ錠３４から伸長しないと通常の操作時にはロックアーム解除プレート３５とは係合しないようにされているから、鍵３０の左右の開錠操作による上下前扉の開錠は通常と同じ操作で行えばよく、上ユニット２の取出し時にのみ、鍵３０の押込み操作をすれば開錠できるようになる。
【００５９】
次に、図７に基づき、上ユニット２の装着及び分離取出し動作について説明する。
【００６０】
図７の（１）には、上ユニット２をスロットマシン本体へ装着する前のスロットマシン本体１００の筐体１から、上ユニット２を分離した状態を示している。
【００６１】
上ユニット２を筐体１内に装着するには、まず始めに、上ユニット２を手で持ち上げてスロットマシン１００の前側から上ユニット２の後部を筐体１の中央フレーム１１内側に設けたドラムユニット載置台１４のガイドレール１２上に載せてスライド挿入する。そして、該上ユニット２を筐体１内に押し込むと、上ユニット２はドラムユニットベース板２４に取り付けられたコロ２５により、該ガイドレール１２に沿って押し込まれる。
【００６２】
このとき、ロックアーム３３及びロックアーム解除プレート３５は、共に図示しないバネにより常時上向きに付勢されているが、上ユニット２のドラムユニットベース板２４前縁に設けた係止部の乗上げによりロックアーム３３の先端の係止片が押し下げられるので、筐体１内への上ユニット２の押込みを許容する（図７の（２）参照）。さらに、ドラムユニット載置台１４に設けられたガイドレール１２に沿って奥へ押し込むことにより、上ユニット２のドラムユニットベース板２４は前記イジェクトバネに抗して、ドラムユニットベース板２４の前端と後端に設けられた位置決めボス２７，２７’にガイドされてドラムユニット載置台１４の所定位置に載置される。
【００６３】
この位置決めボス２７，２７’によりドラムユニットベース板２４が完全にセットされた位置では、ドラムユニットベース板２４の係止部がロックアーム３３の係止片の先端上部を通過するので、ロックアーム３３の先端の該係止片は上向きの付勢状態に復帰して上ユニット２をその位置でロックし、上ユニット２の飛出しが阻止される（図７の（３）参照）。
これにより、該ロックアーム３３に連動された下部前扉１０３に設けられたロック操作部３１が施錠状態にロックされる。このとき、イジェクトバネは圧縮されるように設置されているので、イジェクトバネにはロック解除の際、上ユニット２を飛出させるエネルギーが蓄積されるものである。
【００６４】
ロックアーム３３は、位置決めボス２７、２７’側と同一部材であるドラムユニット載置台１４に固定ピンによって回動自在に固定されているので、位置決め精度の高い装着が達成できるものである。また、この装着時には、ガイドレール１２が後方傾斜で配設されているので、上ユニット２の押し込みは負担が軽く装着が容易である。
【００６５】
本実施形態では、このように、鍵操作による上ユニット２のロック解除（図７の（４）参照）と同時に、取出方向に常時付勢されているイジェクトバネにより、その弾発力で上ユニット２が僅かに飛び出すものである（図７の（５）参照）。そして、この上ユニット２の飛び出しにより、作業者の手掛かりが容易となるので、さらに前方へ取出して分離することも簡単に行うことができるものである。
【００６６】
なお、ロックを解除するためのロック操作部３１として、下部前扉１０３の前面に鍵穴３２とシリンダ錠３４とを設けた例について説明したが、このロック操作部３１は上ユニット２の上部前扉１０２の前面に設けてもよいものである。また、筐体１の前面側部にロック操作部３１を設けてもよく、この場合は、筐体１は固定側となるのでロック機構は一層強固な構造とすることができるものである。例えば、図示しないが、筐体１の前面側部にシリンダ錠３４を操作する鍵穴３２を設け、一方、下部前扉１０３の反ヒンジ側の前面側部に鍵３０の差込み口となる窪部又は切欠き部を形成し、該窪部又は切欠き部を通して下部前扉１０３の前方から鍵穴３２が臨めるようにして、該鍵穴３２へ鍵３０を挿入することで開錠操作するようにしたロック操作部３１を設けた実施形態が考えられる。
【００６７】
また、上ユニット２の装着時に、スロットマシン本体の筐体１側に接続すコネクタは、上ユニット２の下方に垂らすように形成しておいて、該上ユニット装着後に下部前扉１０３を開けて筐体１側のコネクタに差し込む。あるいは上ユニット２の後部にコネクタを固定的に設け、一方、筐体１側に受側コネクタを固定的に設け、上ユニット２をスライド挿入して装着する際、コネクタ案内機構によりガイドされるように円錐型ガイドピンとガイド穴を双方に設けることにより、コネクタを接続するように形成してもよい。
【００６８】
【発明の効果】
本発明は、次の効果を奏するものである。
【００６９】
本発明の分離型スロットマシンは、スロットユニットとして、スロットマシンの機種毎に異なる機能部分をユニット化して集約するとともに、極めて簡単な操作で、装着及び分離ができるように形成したので、スロットユニットの交換作業性を向上できるものである。
【００７０】
さらに、上扉パネルと下扉にそれぞれリブを設ける一方、筐体には断面コ字状のリブ収容部を設けることによって、従来のような不正防止機能を備えつつ、上扉パネルと下扉を開閉の順番にこだわらずに独立に開けることができ、従って下扉を閉じた状態で上ユニットの交換が行えると共に、上ユニットの上扉パネルをそのままの状態で下扉を開けて筐体に備えるホッパー装置にメダル補給をすることができる。
【００７１】
スロットユニットに上扉を省略できるように形成することができ、スロットユニットのフレームは簡単な構造とすることができるので、軽量化が可能となる。
【００７２】
本発明の分離型スロットマシンは、遊技場やホールにおける通常の営業時には操作しない不要な上部前扉又は下部前扉の一方のみに開閉機構を設けるだけでよく、従来の上下一体式の前面扉のように、ドラムや制御基板等の装置を含む本体全面を開閉しなくて済むので、スロットユニットの不正交換や前面ドアの不正開放などの不正行為の防止にも一層貢献できるものである。
【図面の簡単な説明】
【図１】分離型スロットマシンの概略図。
【図２】分離型スロットマシンの分解斜視図。
【図３】分離型スロットマシンの側面概略図。
【図４】分離型スロットマシンの拡大側面図。
【図５】分離型スロットマシンの鍵操作部拡大図。
【図６】分離型スロットマシンのロック機構の分解説明図。
【図７】分離型スロットマシンの動作説明図。
【符号の説明】
１００　　　分離型スロットマシン
１０２　　　上扉パネル
１０３　　　下扉
１　　　筐体
２　　　上ユニット
１４　　　ドラムユニット載置台
２１　　　上部前面化粧体
２２　　　ドラムユニット
３０　　　鍵
３３　　　ロックアーム
３４　　　シリンダ錠
３５　　　ロックアーム解除プレート
【図１】
2004097369.tif 000003
【図２】
2004097369.tif 000004
【図３】
2004097369.tif 000005
【図４】
2004097369.tif 000006
【図５】
2004097369.tif 000007
【図６】
2004097369.tif 000008
【図７】
2004097369.tif 000009